(57)【要約】【課題】接続対象の端子周辺に十分なスペースがない場合において、接続対象の端子を損傷又は破壊することなく、着脱することができる端子接続具を提供することを目的とする。【解決手段】本体１２複数のプラグ端子１４，１６を有する端子接続具１０であって、プラグ端子を本体１２の外部に押し出すように付勢するためのスプリング３２，３４と、プラグ端子１４，１６を本体１２の内部に収容するために、プラグ端子１４，１６に接続された金属線２２を本体１２の内部側に引っ張るための収容機構を有し、収容機構は、使用者の複数の指の先を互いに近づける動作によって、プラグ端子１４，１６を本体１２の内部側へ直線移動させて収容するように構成されている。【選択図】図２
2008147059.tif 000002
【特許請求の範囲】
【請求項１】
本体と複数のプラグ端子を有する端子接続具であって、
前記プラグ端子を前記本体の外部に押し出すように付勢するためのスプリングと、
前記プラグ端子を前記本体の内部に収容するために、前記プラグ端子に接続された金属線を前記本体の内部側に引っ張るための収容機構を有し、
前記収容機構は、使用者の複数の指の先を互いに近づける動作によって、前記プラグ端子を前記本体の内部側へ直線移動させて収容するように構成されていることを特徴とする端子接続具。
【請求項２】
前記収容機構は、
前記金属線に配置された板ばねと、
前記本体の前記プラグ端子とは反対側の端部付近に配置されており、かつ、前記プラグ端子の着脱方向とは垂直方向に移動可能であって、前記板ばねを押圧して弾性変形させるための押圧部材とで構成されていることを特徴とする請求項１に記載の端子接続具。
【請求項３】
前記押圧部材は、前記プラグ端子が突き出る面と反対側の面に配置されていることを特徴とする請求項２に記載の端子接続具。
【請求項４】
前記収容機構は、
前記プラグ端子の着脱方向に移動することができ、前記金属線が固定された移動部材と、
前記本体の前記プラグ端子とは反対側の端部付近に配置されており、かつ、前記プラグ端子を着脱する方向とは垂直方向に移動可能であって、前記移動部材の表面を摺動することによって、前記移動部材を前記着脱方向に移動させるための垂直移動部材とで構成されていることを特徴とする請求項１に記載の端子接続具。
【請求項５】
前記垂直移動部材には、前記垂直方向に対して斜め方向に伸びる貫通口を有しており、前記移動部材に配置された固定ピンが前記貫通口内の表面を摺動するように構成されていることを特徴とする請求項４に記載の端子接続具。
【発明の詳細な説明】
【技術分野】
【０００１】
本発明は、複数の端子を互いに接続する端子接続具に関する。
【背景技術】
【０００２】
電力プラント等の遠隔監視制御装置等の試験として、表示状態の測定、制御回路のレベル測定、試験器の接続等をするために、外部との回線を切断したり、必要な端子同士（以下、「接続対象の端子」と呼ぶ）を接続するために、Ｕリンクを着脱する必要がある。
【０００３】
このため、例えば、図６（ａ）及び（ｂ）に示すようなプラグ１００が使用されている。プラグ１００は、本体１０２とプラグ側端子１０４及び１０６を有する。プラグ側端子１０４と１０６は、銅線１０８によって互いに接続されている。プラグ側端子１０４と１０６がそれぞれ異なる接続対象の端子と接することで、回線を構成することができる。この回線は、例えば、微弱な電流を流す信号線である。
【０００４】
プラグ１００には、接続対象の端子への着脱（以下、適宜、単に「着脱」と呼ぶ）を容易にするために、例えば、指を引っ掛けるための引っ掛け用の凹部１０２ａ，１０２ａ（図６（ｂ）参照）が形成されている。ところが、構成においては、着脱のため、プラグ１００を指の腹で摘んだ状態で接続対象の端子に対して移動させる必要がある。このため、接続対称の端子周辺に指の腹を入れるための十分なスペースがない場合には、プラグ１００の着脱が困難である。例えば、プリント基板に設けられた端子においては、他のプリント基板や周辺のコネクタケーブルが邪魔になって、指の腹でプラグ１００を摘むことができない場合がある。
【０００５】
これに対して、プラグに設けたつまみを回転させることで、プラグ側端子がプラグ本体に格納される構造を有する電源プラグが提案されている（特許文献１）。
【特許文献１】実開平６−３８１７５号公報
【発明の開示】
【発明が解決しようとする課題】
【０００６】
ところが、特許文献１の技術においては、プラグ側端子の引き抜きの際に接続対象の端子に対して、回転する力が加わる。このため、例えば、プリント基板に設けられた端子のように、その大きさ等の制限によって、十分な強度を持たせることができない端子に場合には、接続端子が損傷又は破壊される場合があるという問題がある。
【０００７】
そこで、本発明は、接続対象の端子周辺に十分なスペースがない場合において、接続対象の端子を損傷又は破壊することなく、着脱することができる端子接続具を提供することを目的とする。
【課題を解決するための手段】
【０００８】
具体的には、本発明は以下のものを提供する。
（１）  本体と複数のプラグ端子を有する端子接続具であって、前記プラグ端子を前記本体の外部に押し出すように付勢するためのスプリングと、前記プラグ端子を前記本体の内部に収容するために、前記プラグ端子に接続された金属線を前記本体の内部側に引っ張るための収容機構を有し、前記プラグ端子収容機構は、使用者の複数の指の先を互いに近づける動作によって、前記プラグ端子を前記本体の内部側へ直線移動させて収容するように構成されていることを特徴とする端子接続具である。
【０００９】
（１）の発明によれば、プラグ端子がスプリングによって本体外部に押し出されている状態において、使用者が複数の指の先を互いに近づける動作を行うことによって、金属線を介してプラグ端子本体の内部側に引っ張ることができる。すなわち、指の腹を使用しなくても、指先を互いに近づけるという動作を行うだけで、プラグ端子を接続対象の端子から離脱させることができる。また、指先を収容機構から離すだけで、プラグ端子はスプリングによって本体外部に押し出されるから、接続対象の端子に接続することができる。
【００１０】
このように、（１）に発明によれば、端子接続具によれば、指の腹を使用する必要がないから、接続対象の端子周辺に十分なスペースがない場合であっても、着脱することができる。また、プラグ端子は、接続対処の端子に対して回転力等の力を加えることはないから、接続対象の端子を損傷したり、破壊することはない。
【００１１】
（２）  前記収容機構は、前記金属線に配置された板ばねと、前記本体の前記プラグ端子とは反対側の端部付近に配置されており、かつ、前記プラグ端子の着脱方向とは垂直方向に移動可能であって、前記板ばねを押圧して弾性変形させるための押圧部材とで構成されていることを特徴とする（１）に記載の端子接続具である。
【００１２】
（２）の構成によれば、押圧部材はプラグ端子とは反対側の端部付近に配置されているから、着脱の際に、指を接続対象の端子近傍に差し入れる必要がない。そして、板ばねを弾性変形させることによって、金属線を介してプラグ端子を本体内部に引っ張ることができる。このため、接続対象の端子近傍に十分なスペースがない場合であっても、着脱することができる。
【００１３】
（３）  前記押圧部材は、前記プラグ端子が突き出る面とは反対側の面に配置されていることを特徴とする（２）に記載の端子接続具である。
【００１４】
（３）の構成によれば、押圧部材はプラグ端子とは反対側の面に配置されているから、接続対象の端子近傍に十分なスペースがなく、かつ、端子接続具の本体周辺部に十分なスペースがない場合であっても、着脱することができる。
【００１５】
（４）  前記収容機構は、前記プラグ端子の着脱方向に移動することができ、前記金属線が固定された移動部材と、前記本体の前記プラグ端子とは反対側の端部付近に配置されており、かつ、前記プラグ端子を着脱する方向とは垂直方向に移動可能であって、前記移動部材の表面を摺動することによって、前記移動部材を前記着脱方向に移動させるための垂直移動部材とで構成されていることを特徴とする（１）に記載の端子接続具である。
【００１６】
（４）の構成によれば、垂直移動部材はプラグ端子とは反対側の端部付近に配置されているから、着脱の際に、指を接続対象の端子近傍に差し入れる必要がない。そして、移動部材を着脱方向に移動させることによって、金属線を介してプラグ端子を本体内部に引っ張ることができる。このため、接続対象の端子近傍に十分なスペースがない場合であっても、着脱することができる。
【００１７】
（５）  前記垂直移動部材には、前記垂直方向に対して斜め方向に伸びる貫通口を有しており、前記移動部材に配置された固定ピンが前記貫通口内の表面を摺動するように構成されていることを特徴とする（４）記載の端子接続具である。
【００１８】
（５）の構成によれば、移動部材に配置された固定ピンが前記貫通口内の表面を摺動することによって、金属線を介してプラグ端子を本体内部に引っ張ることができる。
【発明の効果】
【００１９】
本発明によれば、接続対象の端子周辺に十分なスペースがない場合において、接続対象の端子を損傷又は破壊することなく、着脱することができる端子接続具を提供することができる。
【発明を実施するための最良の形態】
【００２０】
以下、本発明の実施形態の一例について、添付した図面を参照しながら、具体的に説明する。
【００２１】
［第１実施形態］
図１は、本実施形態のＵリンク１０を示す概略斜視図である。図２は、Ｕリンク１０の内部構成を示す概略斜視図である。
【００２２】
なお、本実施形態以降の説明では、同じ部材の場合には同じ符号を付すとともに、すでに説明した部材の説明は省略する。
【００２３】
Ｕリンク１０は、プリント基板に配置された複数の端子を互いに接続するための端子接続具である。Ｕリンク１０によって、回線が形成される。この回線は、例えば、５ボルトの微弱な電流を流す信号線である。
【００２４】
図１及び図２に示すように、Ｕリンク１０は、内部が空間を有する本体１２と、プラグ端子１４及び１６を有する。プラグ端子１４及び１６は中空の略円柱形状に形成されており、材質は、例えば、鉄である。
【００２５】
図２に示すように、プラグ端子１４とプラグ端子１６とは、金属線２２によって互いに接続されている。金属線２２は、例えば、銅線である。
【００２６】
図２に示すように、本体１２には、外筒２８及び３０が格納されている。外筒２８は及び３０は、例えば、ポリアミド樹脂で形成されている。外筒２８は内部にプラグ端子１４を矢印ｘ１方向及びｘ２方向に移動可能に格納するようになっており、外筒３０は内部にプラグ端子１６を矢印ｘ１方向及びｘ２方向に移動可能に格納するようになっている。矢印ｘ１及びｘ２によって示される方向は、プラグ端子１４及び１６の着脱方向である。
【００２７】
外筒２８の後端部２８ｂにはスプリング３２が接続されている。このスプリング３２は、コイルばねであり、プラグ端子１４を本体１２の外側（矢印ｘ１方向）へ押し出すように付勢している。同様に、外筒３０の後端部にはスプリング３４が接続されている。このスプリング３４は、コイルばねであり、プラグ端子１６を本体１２の外側（矢印ｘ１方向）へ押し出すように付勢している。プラグ端子１４が突き出るようになっている本体１２の面は、接続対象の端子に対向する面であるから、対向面１２ａと呼ぶ。これに対して、対向面１２ａとは反対側の面を後面１２ｂと呼ぶ。そして、図で上側及び下側の面を上面１２ｃ及び下面１２ｄと呼ぶ。そして、本明細書において、対向面１２ａ側を前方と呼び、後面１２ｂ側を後方と呼ぶ。
【００２８】
金属線２２には、板ばね２４及び２６が配置されている。金属線２２は、板ばね２４及び２６に接着剤等で固定されている。
【００２９】
本体１２には、円柱状スイッチ１８及び２０が矢印ｙ１方向及びｙ２方向に移動可能に配置されている。矢印ｙ１及びｙ２によって示される方向は、上述の着脱方向とは垂直の方向である。円柱状スイッチ１８及び２０は、本体１２において、対向面１２ａとは反対側の端部付近に配置されている。具体的には、円柱状スイッチ１８は上面１２ｃにおいて後方に配置されている。そして、円柱状スイッチ２０は下面１２ｄにおいて後方に配置されている。円柱状スイッチ１８は板ばね２４を押圧して弾性変形させることができるよう配置されており、円柱状スイッチ２０は板ばね２６を押圧して弾性変形させることができるよう配置されている。すなわち、円柱状スイッチ１８及び２０は、押圧部材である。円柱状スイッチ１８及び２０と、板ばね２４及び２６は、プラグ端子１４及び１６を本体１２の内部に収容するために、プラグ端子１４及び１６を本体１２の内部側に引っ張るための収容機構である。
【００３０】
以上が、Ｕリンク１０の構成である。以下、Ｕリンク１０がプラグ端子１４及び１６を直線移動させて本体１２の内部に収容する動作を説明する。
【００３１】
図２（ａ）の状態から、使用者は２本の指先をそれぞれ円柱状スイッチ１８及び２０に掛ける。そして、円柱状スイッチ１８に掛けた指先を図２（ａ）の矢印ｙ１方向へ移動し、円柱状スイッチ２０に掛けた指先を図２（ａ）の矢印ｙ２方向へ移動すると、図２（ｂ）に示すように、円柱状スイッチ１８が板ばね２４を押圧して弾性変形させ、円柱状スイッチ２０が板ばね２６を押圧して弾性変形させる。そして、板ばね２４及び２６に固定された金属線２２が本体１２内部方向に引っ張られ、金属線２２に接続されたプラグ端子１４及び１６は直線移動し、先端部を外部に残して本体１２に収容される。
【００３２】
上述のように、Ｕリンク１０によれば、着脱のために指の腹を使用する必要がないから、接続対象の端子周辺に十分なスペースがない場合であっても、着脱することができる。また、Ｕリンク１０プラグ端子は、接続対処の端子に対して回転力等の力を加えることはないから、接続対象の端子を損傷したり、破壊することはない。さらに、円柱状スイッチ１８及び２０は、対向面１２ａとは反対側の端部付近に配置されているから、着脱の際に、指を接続対象の端子近傍に差し入れる必要がない。そして、板ばね２４及び２６を弾性変形させることによって、金属線２２を介してプラグ端子１４及び１６を本体１２の内部に引っ張ることができる。このため、接続対象の端子近傍に十分なスペースがない場合であっても、着脱することができる。
【００３３】
［第２実施形態］
図３を参照して、本発明の第２実施形態について説明する。
図３は、第２実施形態のＵリンク１０Ａの内部構成を示す概略斜視図等である。
【００３４】
図３（ａ）及び（ｂ）に示すように、Ｕリンク１０Ａは、移動部材４０及び４２を有する。移動部材４０及び４２には、金属線２２が固定されている。具体的には、移動部材４０及び４２に設けられた貫通孔内に金属線２２が固定されている。そして、移動部材４０及び４２は共通のスライド版４４の表面を矢印ｘ１及びｘ２方向に摺動するようになっている。
【００３５】
図３（ｂ）は、移動部材４０を図３（ａ）の矢印ｘ３方向から見た概略拡大図である。図３（ｂ）に示すように、円柱状スイッチ１８の下部は脚部１８ａに分岐しており、円柱状スイッチ１８が矢印ｙ１方向に移動したとしても、金属線２２と干渉しないようになっている。
【００３６】
以上が、Ｕリンク１０Ａの構成である。以下、Ｕリンク１０Ａがプラグ端子１４及び１６を本体１２の内部に収容する動作を説明する。
【００３７】
図３（ａ）の状態から、使用者は２本の指先をそれぞれ円柱状スイッチ１８及び２０に掛ける。そして、円柱状スイッチ１８に掛けた指先を図３（ａ）の矢印ｙ１方向へ移動し、円柱状スイッチ２０に掛けた指先を図３（ａ）の矢印ｙ２方向へ移動すると、円柱状スイッチ１８の下端部が移動部材４０の表面４０ａを摺動して移動部材４０を矢印ｘ２方向へ移動させ、円柱状スイッチ２０が移動部材４２の表面を摺動して移動部材４２を矢印ｘ２方向へ移動させる。そして、移動部材４０及び４２に固定された金属線２２が本体１２内部方向に引っ張られ、金属線２２に接続されたプラグ端子１４及び１６は先端部を外部に残して本体１２に収容される。なお、円柱状スイッチ１８及び２０は、垂直移動部材の一例でもある。
【００３８】
［第３実施形態］
図４を参照して、本発明の第３実施形態について説明する。
図４は、第３実施形態のＵリンク１０Ｂの内部構成を示す概略斜視図である。
【００３９】
図４（ａ）及び（ｂ）に示すように、Ｕリンク１０Ｂは、垂直移動部材５０及び５２を有する。垂直移動部材５０及び５２には、垂直方向（矢印ｙ１及びｙ２方向）に対して斜め方向に伸びる貫通孔５０ａ及び５２ａをそれぞれ有する。
【００４０】
図４（ａ）及び（ｂ）に示すように、Ｕリンク１０Ｂは、移動部材５４及び５６を有する。移動部材５４及び５６は、それぞれガイド部材５８及び６０の表面を矢印ｘ１及びｘ２方向へ摺動するようになっている。図４（ｂ）に示すように、移動部材５４には、固定ピン５４ａが配置されている。また、ガイド部材５８には、移動部材５４の摺動方向を規制するための側壁部５８ａが形成されている。ガイド部材６０の構成は、ガイド部材５８と同様である。
【００４１】
移動部材５４の固定ピン５４ａは、垂直移動部材５０の貫通孔５０ａ内の表面を摺動するように構成されている。同様に、移動部材５６の固定ピン（図示せず）は、垂直移動部材５２の貫通孔５２ａ内の表面を摺動するように構成されている。
【００４２】
以上が、Ｕリンク１０Ｂの構成である。以下、Ｕリンク１０Ｂがプラグ端子１４及び１６を本体１２の内部に収容する動作を説明する。
【００４３】
図４（ａ）の状態から、使用者は２本の指先をそれぞれ垂直移動部材５０及び５２に掛ける。そして、垂直移動部材５０に掛けた指先を図４（ａ）の矢印ｙ１方向へ移動し、垂直移動部材５２に掛けた指先を図４（ａ）の矢印ｙ２方向へ移動すると、移動部材５４の固定ピン５４ａが垂直移動部材５０の貫通孔５０ａ内の表面を摺動して移動部材５４を矢印ｘ２方向へ移動させ、移動部材５６の固定ピン（図示せず）が垂直移動部材５２の貫通孔５２ａ内の表面を摺動して移動部材５６を矢印ｘ２方向へ移動させる。そして、移動部材５４及び５６に固定された金属線２２が本体１２内部方向に引っ張られ、金属線２２に接続されたプラグ端子１４及び１６は先端部を外部に残して本体１２に収容される。
【００４４】
［第４実施形態］
図５を参照して、本発明の第４実施形態について説明する。
図５は、第４実施形態のＵリンク１０Ｃの内部構成を示す概略斜視図である。
【００４５】
Ｕリンク１０Ｃは、第１実施形態のＵリンク１０と、板ばね２４及び２６を押圧する機構が異なる。具体的には、Ｕリンク１０Ｃは、図５（ａ）及び（ｂ）に示すように、はさみ状の押圧部材７４を有する。押圧部材７４の端部７４ｂ及び７４ｃは、後面１２ａから突き出るように配置されている。
【００４６】
押圧部材７４の端部７４ｂ及び７４ｃをそれぞれ矢印Ｚ１及びＺ２方向へ押して、端部７４ｂと７４ｃとを近接させると、支点部７４ａを介して腕部７４ｄ及び７４ｅが互いに近接するように移動する。そして、図５（ｂ）に示すように、腕部７４ｄ及び７４ｅにそれぞれ配置された押圧部７４ｆ及び７４ｇが、板ばね２４及び２６を押圧するようになっている。
【００４７】
上述のように、押圧部材７４の端部７４ｂ及び７４ｃプラグ端子１４及び１６が突き出ている対向面１２ａとは反対側の後面１２ａに配置されているから、接続対象の端子近傍に十分なスペースがなく、かつ、Ｕリンク１０Ｃの本体周辺部に十分なスペースがない場合であっても、着脱することができる。
【図面の簡単な説明】
【００４８】
【図１】第１実施形態のＵリンクを示す概略斜視図である。
【図２】第１実施形態のＵリンクの内部構成を示す概略斜視図である。
【図３】第２実施形態のＵリンクの内部構成を示す概略斜視図である。
【図４】第３実施形態のＵリンクの内部構成を示す概略斜視図である。
【図５】第４実施形態のＵリンクの内部構成を示す概略斜視図である。
【図６】従来例を示す図である。
【符号の説明】
【００４９】
１０，１０Ａ，１０Ｂ，１０Ｃ・・・Ｕリンク、１２・・・本体、１４，１６・・・プラグ端子、１８，２０・・・円柱状スイッチ、２２・・・金属線、２４，２６・・・板ばね、２８，３０・・・外筒、３２，３４・・・スプリング
【図１】
2008147059.tif 000003
【図２】
2008147059.tif 000004
【図３】
2008147059.tif 000005
【図４】
2008147059.tif 000006
【図５】
2008147059.tif 000007
【図６】
2008147059.tif 000008